(57)【要約】【課題】粘着シートに捕獲された虫を見え難くすることが可能な捕虫器を提供する。【解決手段】光源と、正面側に光源が設けられた本体３と、スタンド４と、開閉可能に設けられ、かつ内側に粘着シートが交換可能に設けられた前カバー５と、後カバー６と、上カバー７とを備える。上カバー７は、本体３の上面を覆うカバー７ａと、カバー７ａの正面側端部に開閉可能に設けられた蓋７ｂとで構成される。後カバー６および蓋７ｂには、光源の光によって誘引された虫が侵入できる複数の孔１０，１１が設けられている。【選択図】図１
0003213656.tif 000002
【実用新案登録請求の範囲】
【請求項１】
虫を誘引するための光源と、
正面側に前記光源が設けられた本体と、
前記本体を自立させるスタンドと、
前記本体の正面側に開閉可能に設けられ、かつ内側に虫を捕獲するための粘着シートが交換可能に設けられた前カバーと、
前記本体の背面側に設けられた後カバーと、
前記本体の上面側に設けられた上カバーと、
を備え、
前記上カバーは、前記本体の上面を覆うカバーと、前記カバーの正面側端部に開閉可能に設けられた蓋と、で構成され、
前記後カバーおよび前記蓋には、前記光源の光によって誘引された虫が侵入できる複数の孔が設けられている
ことを特徴とする捕虫器。
【請求項２】
前記後カバーは、前記本体の背面および両側面を覆い、
前記前カバーは、ヒンジを介して前記後カバーの端部に取り付けられている
ことを特徴とする請求項１に記載の捕虫器。
【請求項３】
前記後カバーは、前記本体の背面に対向した第１面、前記本体の右側面に対向した第２面、前記本体の左側面に対向した第３面、前記第１面と前記第２面の間の第４面、および前記第１面と前記第３面の間の第５面の全５面で構成され、前記全５面に前記複数の孔が設けられている
ことを特徴とする請求項２に記載の捕虫器。
【請求項４】
前記蓋を開いた状態にすることにより、前記前カバーを閉じた状態で、前記前カバーの上方から前記粘着シートを交換できる
ことを特徴とする請求項１〜３のいずれか一項に記載の捕虫器。
【請求項５】
前記蓋は、着脱交換可能に前記カバーに取り付けられている
ことを特徴とする請求項１〜４のいずれか一項に記載の捕虫器。
【考案の詳細な説明】
【技術分野】
【０００１】
本考案は、捕虫器に関する。
【背景技術】
【０００２】
従来の捕虫器としては、例えば、特許文献１に記載のものが知られている。この捕虫器は、本体と、本体の正面側に配置された発光部と、本体の正面および側面を覆うカバーと、カバーの裏側に配置された粘着シートと、本体の側面とカバーの端部の間に形成される誘引口と、を備え、発光部により照射された光が誘引口から外部に漏出することを特徴とする。
【先行技術文献】
【特許文献】
【０００３】
【特許文献１】特開２０１７−５５６９６号公報
【考案の概要】
【考案が解決しようとする課題】
【０００４】
上記特許文献１に記載の捕虫器は、粘着シートが上方から丸見えで、さらに誘引口が比較的大きいので、粘着シートに捕獲された虫が上方および後方から見え易く、改善の余地があった。
【０００５】
本考案は上記事情に鑑みてなされたものであって、その課題とするところは、粘着シートに捕獲された虫を見え難くすることが可能な捕虫器を提供することにある。
【課題を解決するための手段】
【０００６】
上記課題を解決するために、本考案に係る捕虫器は、
虫を誘引するための光源と、
正面側に前記光源が設けられた本体と、
前記本体を自立させるスタンドと、
前記本体の正面側に開閉可能に設けられ、かつ内側に虫を捕獲するための粘着シートが交換可能に設けられた前カバーと、
前記本体の背面側に設けられた後カバーと、
前記本体の上面側に設けられた上カバーと、
を備え、
前記上カバーは、前記本体の上面を覆うカバーと、前記カバーの正面側端部に開閉可能に設けられた蓋と、で構成され、
前記後カバーおよび前記蓋には、前記光源の光によって誘引された虫が侵入できる複数の孔が設けられていることを特徴とする。
【０００７】
前記後カバーは、前記本体の背面および両側面を覆い、
前記前カバーは、ヒンジを介して前記後カバーの端部に取り付けられている
ことが好ましい。
【０００８】
前記後カバーは、前記本体の背面に対向した第１面、前記本体の右側面に対向した第２面、前記本体の左側面に対向した第３面、前記第１面と前記第２面の間の第４面、および前記第１面と前記第３面の間の第５面の全５面で構成され、前記全５面に前記複数の孔が設けられていてもよい。
【０００９】
本考案に係る捕虫器は、
前記蓋を開いた状態にすることにより、前記前カバーを閉じた状態で、前記前カバーの上方から前記粘着シートを交換できる。
【００１０】
前記蓋は、着脱交換可能に前記カバーに取り付けられていてもよい。
【考案の効果】
【００１１】
本考案によれば、粘着シートに捕獲された虫を見え難くすることが可能な捕虫器を提供することができる。
【図面の簡単な説明】
【００１２】
【図１】本考案に係る捕虫器の斜視図である。
【図２】本考案に係る捕虫器の前カバーを開いた状態を示す正面図である。
【図３】本考案に係る捕虫器の背面図である。
【図４】（Ａ）本考案に係る捕虫器の前カバーを開いた状態を示す平面図である。（Ｂ）本考案に係る捕虫器の上カバーの蓋を開いた状態を示す平面図である。
【考案を実施するための形態】
【００１３】
以下、添付図面を参照して、本考案に係る捕虫器の実施形態について説明する。
【００１４】
図１〜図４に示すように、本実施形態に係る捕虫器１は、光源２と、本体３と、スタンド４と、前カバー５と、後カバー６と、上カバー７と、を備える。
【００１５】
光源２は、虫を誘引するためのものであり、紫外線を含む光を照射する。光源２は、ＬＥＤや蛍光灯を用いることができる。光源２は、本体３の正面側に縦向きに取り付けられている。光源２は、本体３に取り付けられることにより、光を照射することが可能となる。本体３は、縦長の形状であり、下面側にスタンド４が設けられている。スタンド４は、本体を縦向きに自立させるように構成されている。
【００１６】
前カバー５は、本体３の正面側に開閉可能に設けられている。前カバー５は、非透明の材料で半八角筒形状に構成されており、閉じた状態では後カバー６とあわせて八角筒形状になる。前カバー５の右側端部および左側端部は、本体３よりも前方に位置する。前カバー５の上端部は、本体３よりも上方に位置する。前カバー５の内側には、虫を捕獲するための粘着シート８が着脱交換可能に設けられている。
【００１７】
後カバー６は、本体３の背面側に設けられている。具体的には、後カバー６は、本体３の背面および両側面を覆うように、一対の固定金具９によって本体３に固定されている。後カバー６は、非透明の材料で半八角筒形状に構成されている。後カバー６の左側端部には、一対のヒンジが設けられている。前カバー５は、このヒンジを介して開閉可能に後カバー６に取り付けられている。
【００１８】
後カバー６の各面には、光源２の光によって誘引された虫が侵入できる複数の孔１０が設けられている。本実施形態では、本体３の背面に対向した第１面には４つ、本体３の右側面に対向した第２面には４つ、本体３の左側面に対向した第３面には４つ、第１面と第２面の間の第４面には３つ、第１面と第３面の間の第５面には３つ、の孔１０が設けられている。光源２の光は、粘着シート８で反射され、後カバー６の各面に設けられた複数の孔１０から、虫を誘引するための光として外部に漏出する。
【００１９】
上カバー７は、非透明の材料で本体３の上面側に設けられている。上カバー７は、本体３の上面を覆うカバー７ａと、蓋７ｂと、で構成される。
【００２０】
蓋７ｂは、カバー７ａの正面側端部に設けられたヒンジを介して、開閉可能にカバー７ａに取り付けられている。図４（Ｂ）に示すように、蓋７ｂを開いた状態にすることにより、前カバー５が閉じた状態であっても、前カバー５の上方から粘着シート８を交換できる。なお、図４では、粘着シート８を取り外している。
【００２１】
蓋７ｂには、光源２の光によって誘引された虫が侵入できる複数の孔１１が設けられている。本実施形態では、蓋７ｂには、９つの孔１１が設けられている。光源２の光は、直接または粘着シート８で反射され、蓋７ｂに設けられた孔１１から、虫を誘引するための光として外部に漏出する。
【００２２】
本実施形態に係る捕虫器１は、後カバー６および蓋７ｂを備えているので、粘着シート８に捕獲された虫を後方および上方から見え難くすることが可能となる。その一方で、後カバー６には複数の孔１０が設けられており、蓋７ｂにも複数の孔１１が設けられているので、後カバー６および蓋７ｂがあることによる誘引力の低下を抑制することができる。
【００２３】
以上、本考案に係る捕虫器の好ましい実施形態について説明したが、本考案は上記実施形態に限定されるものではない。
【００２４】
前カバー５は、本体３の正面側に開閉可能に設けられ、かつ内側に虫を捕獲するための粘着シート８が交換可能に設けられているのであれば、適宜構成を変更できる。例えば、前カバー５を、半円筒形状に構成することができる。
【００２５】
後カバー６は、本体３の背面側に設けられ、光源２の光によって誘引された虫が侵入できる複数の孔１０が設けられているのであれば、適宜構成を変更できる。例えば、孔１０の位置、大きさ、個数を適宜変更できる。
【００２６】
上カバー７は、本体３の上面を覆うカバー７ａと、カバー７ａの正面側端部に開閉可能に設けられた蓋７ｂと、で構成されるのであれば、適宜構成を変更できる。例えば、蓋７ｂに設けられた孔１１の位置、大きさ、個数を適宜変更できる。また、蓋７ｂは、着脱交換可能にカバー７ａに取り付けられていてもよい。
【符号の説明】
【００２７】
１    捕虫器
２    光源
３    本体
４    スタンド
５    前カバー
６    後カバー
７    上カバー
７ａ    カバー
７ｂ    蓋
８    粘着シート
９    固定金具
１０，１１    孔
【図１】
0003213656.tif 000003
【図２】
0003213656.tif 000004
【図３】
0003213656.tif 000005
【図４】
0003213656.tif 000006